(57)【要約】【課題】本発明は、建築物の外壁解体工法に関し、解体途中において、柱が外側に誤って転倒しないように、安全性を確実にすることが課題である。        【解決手段】解体予定の柱１の外側壁面２の脚部において、ジャッキ受け用ブラケット３を上下方向で対向配置に固定し、そのブラケットの間に軸力を制御できるジャッキ４を配設し、その後、前記ジャッキ４にプレロードを掛けるとともに解体用重機で当該柱を外側に転倒しないように支持し、当該柱１の内側壁面８から外側壁面２に向けて前記ジャッキ４の存在する範囲内で該柱１はつり、前記ジャッキ４によって前記柱が１外側へ転倒しないように制御装置でその軸力を制御しながら、前記解体用重機で前記柱１を内側に転倒させることとする建築物の外壁解体工法である。【選択図】図１
2006188913.tif 000002
【特許請求の範囲】
【請求項１】
解体予定の柱の外側壁面の脚部において、ジャッキ受け用ブラケットを上下方向で対向配置に固定し、
そのブラケットの間に軸力を制御できるジャッキを配設し、
その後、前記ジャッキにプレロードを掛けるとともに解体用重機で当該柱を外側に転倒しないように支持し、
当該柱の内側壁面から外側壁面に向けて前記ジャッキの存在する範囲内で該柱をはつり、
前記ジャッキによって前記柱が外側へ転倒しないように制御装置でその軸力を制御しながら、
前記解体用重機で前記柱を内側に転倒させること、
を特徴とする建築物の外壁解体工法。
【請求項２】
ジャッキの軸力は、柱が外側に傾斜したことで増加した負荷分と同じかそれ以上に制御装置によって増大されること、
を特徴とする請求項１に記載の建築物の外壁解体工法。
【請求項３】
柱の転倒部分における壁面のうち、内側壁面以外の壁面に、当該壁面側への柱の転倒に対して抵抗するガイド部材が設けられていること、
を特徴とする請求項１に記載の建築物の外壁解体工法。
【発明の詳細な説明】
【技術分野】
【０００１】
本発明は、例えば、建築物の解体工事における外壁解体工法に関するものである。
【背景技術】
【０００２】
従来、例えば、建築物を解体するには解体用の重機で行うが、その内部を解体した後、外壁の解体も重機で行っている。その解体手順は、図４乃至図７に示すように、まず、前準備として、外壁の張出部分をサポートで支持したり、柱１上部をワイヤーで引っ張り、外壁の外側への転倒防止策を施す。
【０００３】
そして、柱１内側の脚部において、コンクリート部分の半分程度を重機１０によりはつりとる。次に、柱１の上部を、例えば、２台の重機１１でそのアーム先端部の挟着破砕機ではさみ、支持する。鍛冶工がはつりとった部分の鉄筋や鉄骨をガス切断する。その後、前記２台の重機１１により、前記柱１をゆっくりと内側に倒す。そして、柱１の外側の鉄筋や、鉄骨を鍛冶工が切断し、倒した柱１を細かく解体する。また、他の工法として、予め、ワイヤーを柱上部に繋着させておいて、重機でそのワイヤーを巻き取って柱を内側に倒すようにする解体工法が知られている（特許文献１参照）。
【特許文献１】特開２００１−１４０４７６号公報
【発明の開示】
【発明が解決しようとする課題】
【０００４】
しかし、従来の建築物の外壁解体工法では、該建築物の外壁を内側に倒すので、柱脚を解体して構造的な強度を弱くする必要がある。その柱１を重機１１で保持している場合に、その重機１１の能力以上の負荷が加わる可能性があり、外側へ柱１が転倒して崩壊するおそれがある。そのような不安定な状態にならないように予め計算等して対策を講じるべきであるが、実際には重機のオペレータの技量に任せられているのが実情である。このように、外壁の解体工事における安全性が各現場において差が出ることになり、従来の外壁解体工法では、安全対策上で確実性に欠けるという課題がある。
本発明に係る建築物の外壁解体工法は、このような課題を解決するために提案されたものである。
【課題を解決するための手段】
【０００５】
本発明に係る建築物の外壁解体工法の上記課題を解決して目的を達成するための要旨は、解体予定の柱の外側壁面の脚部において、ジャッキ受け用ブラケットを上下方向で対向配置に固定し、そのブラケットの間に軸力を制御できるジャッキを配設し、その後、前記ジャッキにプレロードを掛けるとともに解体用重機で当該柱を外側に転倒しないように支持し、当該柱の内側壁面から外側壁面に向けて前記ジャッキの存在する範囲内で該柱をはつり、前記ジャッキによって前記柱が外側へ転倒しないように制御装置でその軸力を制御しながら、前記解体用重機で前記柱を内側に転倒させる建築物の外壁解体工法である。
また、前記ジャッキの軸力は、柱が外側に傾斜したことで増加した負荷分と同じかそれ以上に制御装置によって増大されること、；
柱の転倒部分における壁面のうち、内側壁面以外の壁面に、当該壁面側への柱の転倒に対して抵抗するガイド部材が設けられていること、；
を含むものである。
【発明の効果】
【０００６】
本発明の建築物の外壁解体工法によれば、解体しようとする柱の外側に、転倒防止用のジャッキを設けて、解体中に、制御装置によりジャッキの軸力を制御して当該柱の外側への転倒が防止される。よって、解体工事中の安全性が確保される。
更に、前記ジャッキの軸力を制御装置で、柱の外側への傾斜に伴うジャッキへの負荷が増大すると、これに対向するように該ジャッキの軸力を増大させて上に押し上げることで、柱の転倒が自動的に防止されるものである。
前記ガイド部材により、解体される柱は、 内側壁面以外の壁面である外側壁面と左右の壁面と設けられたガイド部材により、これらの方向には転倒が阻止され、内側のみに柱が転倒するようになり、解体作業の安全性が高まるものである。
【発明を実施するための最良の形態】
【０００７】
本発明に係る建築物の外壁解体工法は、図１に示すように、解体予定の柱１の外側壁面２の脚部において、ジャッキ受け用ブラケット３，３を上下方向で対向配置に固定する。
【０００８】
前記ブラケット３は、その平板状の受け板３ａを、向き合わせて固定するものである。固定方法としては、図１に示すように、外側壁面２に孔をドリルで先行し、孔内の清浄後に、カプセルアンカー若しくは注入型接着剤を装填若しくは充填し、アンカーボルトをその孔に打ち込んで固定する。そして、ブラケット３に設けた貫通孔に前記アンカーボルトを挿通させて、ボルトにネジ部がある場合にはナットで締結し、異形鋼棒の場合には止着金具で固定するものである。このようなケミカルアンカーを用いて容易にブラケット３を外側壁面２に固定することができる。なお、このほかにも、アンカー筋を穿孔した孔に打ち込みその端部を拡径させるような公知の方法で、行うこともできる。
【０００９】
そして、前記ブラケット３，３の間に軸力を制御できるジャッキ４を配設する。通常は、ジャッキ４の本体部４ａを下側の受け板３ａに載置し、ロッド４ｂの先端部を上側の受け板３ａに当接させる。なお、本体部４ａと下側の受け板３ａとは、ボルト・ナット等で固定する。また、ロッド４ｂの先端部では、受け板３ａに当接させるだけで、連結はしない。
【００１０】
その後、前記ジャッキ３に、制御装置（図示せず）により、既存の柱１が起立している現状の状態で、プレロードを掛ける。このジャッキ３には、高圧油を供給するための油圧ホース５が比較的長く配設され、その端部に、油圧計６が設けられ、手動ポンプ７が設けられている。なお、他の実施例として、この油圧ホース５の端部に制御装置を設けて、前記油圧計６のデータが前記制御装置に送られ、当該制御装置により駆動・制御される油圧ポンプにより、自動で高圧油の供給を制御することができる。
【００１１】
このようにして、解体の準備ができたならば、次に、解体工事を開始する。これには、解体用重機１０（図４参照）の一台で、前記柱１の脚部における、内側壁面８から外側壁面２に向けて前記ジャッキ４の存在する範囲内で、該柱１のコンクリート躯体をはつる。
【００１２】
前記重機１０のブレーカ等でコンクリート躯体を破砕している最中に、前記ジャッキ３によって前記柱１が外側へ転倒しないように、油圧計６の数値を確認しながら手動ポンプ７を作動させ、若しくは制御装置で、その軸力を制御する。
【００１３】
ジャッキ３の軸力は、柱１が外側に傾斜したことで増加した負荷分と同じかそれ以上になるように、制御装置によって増大される。これにより、プレロードとほぼ同じ軸力に調整することで、柱１の直立が維持され、外側に倒れて隣接の建物や、人等に被害を与えるるおそれがない。
【００１４】
前記柱１の脚部におけるコンクリート躯体のはつりが終了したなら、重機１１によって、そのアーム先端の挟着破砕装置により、当該柱１を外側に転倒しないようにくわえ込む。そして、この柱１のはつり部分で露出した鉄筋やＨ型鋼を、鍛冶工がガス切断する。
【００１５】
その後、前記解体用重機で前記柱１を内側に転倒させるものである。転倒後は、従来例と同様に、柱１を解体処理するものである。また、ブラケット３とジャッキ４とは撤去して、更に、他の解体する柱１に転用する。
【００１６】
図２に示すように、柱１を複数本纏めて解体する場合には、ブラケット３及びジャッキ４を柱１の外側壁面２に取付けて、当該ジャッキ４のプレドードを行い、柱１の脚部を重機１０ではつり、そのはつり部分のＨ型鋼等を切断し、重機１１で支持して、次の柱１に移って前記と同様にブラケット３を取り付けて転倒前の準備を施した後に、纏めて柱１，１，１，…を内側に転倒させるものである。
【００１７】
更に、図３に示すように、柱１の左右側壁面と外側壁面２とに、ガイド部材９を設けることで、更に安全性を高めることができる。具体的には、ガイド部材９ａ，９ｂは、左右の側壁面において、はつり部分の上位置に設置し、外側壁面２のガイド部材９ｃは、その上部を前記ガイド部材９ａ，９ｂと連結して、下部は床面にまで延設し、これらをガイド斜材９ｄとガイド支持部材９ｅとで支持補強する。このような、ガイド部材９により、はつり工事中でも柱１が外側に転倒するというおそれが確実に解消される。
【００１８】
なお、前記ジャッキ４の能力が大きい場合には、解体重機による柱１の転倒作用時に、このジャッキ４の軸力を加圧して、柱１を外側に転倒させるように補助させることもできるし、このジャッキ４によって柱１を転倒させることも可能である。
【図面の簡単な説明】
【００１９】
【図１】本発明に係る建築物の外壁解体工法における説明図である。
【図２】同本発明の建築物の外壁解体工法における、複数の柱１を纏めて転倒させる場合の説明図である。
【図３】同本発明の建築物の外壁解体工法における、ガイド部材９を使用した場合の説明図である。
【図４】従来例における解体工事の第１段階の様子を示す説明図である。
【図５】従来例における解体工事の第２段階の様子を示す説明図である。
【図６】従来例における解体工事の第３段階の様子を示す説明図である。
【図７】従来例における解体工事の第４段階の様子を示す説明図である。
【符号の説明】
【００２０】
１          柱、
２          外側壁面、
３          ブラケット、              ３ａ        受け板、
４          ジャッキ、
４ａ        本体、                    ４ｂ        ロッド、  
５          油圧ホース、
６          油圧計、
７          手動ポンプ、
８          内側壁面、
９          ガイド部材、
１０        解体用重機、
１１        解体用重機。
【図１】
2006188913.tif 000003
【図２】
2006188913.tif 000004
【図３】
2006188913.tif 000005
【図４】
2006188913.tif 000006
【図５】
2006188913.tif 000007
【図６】
2006188913.tif 000008
【図７】
2006188913.tif 000009